(57)【要約】【課題】印刷結果の取得状況を報知する取得状況管理システムを提供する。【解決手段】印刷装置では、携帯端末からコンテンツの印刷データを受信したら（Ｓ１０２：ＹＥＳ）、印刷を実行して未取得リストにそのコンテンツを追加する印刷データ受信処理を実行する（Ｓ１０３）。印刷結果が取得された取得済情報が操作キーから入力されたら（Ｓ１０７：ＹＥＳ）、取得済リストにそのコンテンツを追加して未取得リストからは削除する取得済情報入力処理を行う（Ｓ１０９）。取得済情報を携帯端末から要求されたら（Ｓ１１１：ＹＥＳ）、取得済リストの中から要求元の携帯端末に指示されたコンテンツを抽出して送信する取得済情報送信処理を行う（Ｓ１１２）。排紙トレイが空になっていれば（Ｓ１１５：ＹＥＳ）、未取得リストから全てのコンテンツを取得済リストに移動させる未取得リストクリア処理を行う（Ｓ１１６）。【選択図】図２０
2008243106.tif 000002
【特許請求の範囲】
【請求項１】
画像又は文書からなるコンテンツを表示する表示画面を備え、印刷装置と接続可能な携帯端末と、当該携帯端末からの印刷指示に従いコンテンツの印刷を実行する印刷手段を備えた前記印刷装置とからなる取得状況管理システムであって、
前記携帯端末は、
コンテンツの印刷指示を前記印刷装置に送信する印刷指示送信手段と、
前記印刷指示送信手段により印刷指示が送信されたコンテンツの印刷結果が利用者により取得されたことを示す取得情報を前記印刷装置から受信する取得情報受信手段と、
前記取得情報受信手段により受信した取得情報に基づき、前記印刷指示が送信されたコンテンツのうち利用者により取得されていないコンテンツがある場合にその旨を報知する取得状況報知手段とを備え、
前記印刷装置は、
前記携帯端末から前記印刷指示を受信する印刷指示受信手段と、
前記印刷指示受信手段により受信した印刷指示に基づき前記印刷手段に前記コンテンツの印刷を実行させる印刷制御手段と、
前記印刷手段により印刷された印刷結果が利用者により取得されたか否かを判断する取得状況判断手段と、
前記取得状況判断手段の判断結果に基づき前記取得情報を前記携帯端末に送信する取得情報送信手段とを備えたことを特徴とする取得状況管理システム。
【請求項２】
画像又は文書からなるコンテンツを表示する表示画面を備え、印刷装置に接続可能な携帯端末であって、
コンテンツの印刷指示を前記印刷装置に送信する印刷指示送信手段と、
前記印刷指示送信手段により印刷指示が送信されたコンテンツの印刷結果が利用者により取得されたことを示す取得情報を前記印刷装置から受信する取得情報受信手段と、
前記取得情報受信手段により受信した取得情報に基づき、前記印刷指示が送信されたコンテンツのうち利用者により取得されていないコンテンツがある場合にその旨を報知する取得状況報知手段とを備えたことを特徴とする携帯端末。
【請求項３】
前記印刷指示送信手段により印刷指示を送信したコンテンツを識別する識別情報を記憶する送信済コンテンツ記憶手段と、
前記取得情報受信手段により受信した取得情報に基づき、前記送信済コンテンツ記憶手段に記憶されたコンテンツの識別情報を削除する送信済コンテンツ更新手段とを備え、
前記取得状況報知手段は、前記送信済みコンテンツ記憶手段に識別情報が記憶されたコンテンツを報知することを特徴とする請求項２に記載の携帯端末。
【請求項４】
前記印刷装置との接続若しくは切断を検知する接続検知手段を備え、
前記取得状況報知手段は、前記接続手段により前記印刷装置との接続が検知されたとき、または、前記印刷装置との切断が検知されたときに、報知することを特徴とする請求項２又は３に記載の携帯端末。
【請求項５】
前記取得情報を受信していないコンテンツの識別情報を前記送信済みコンテンツ記憶手段から削除する第二送信済コンテンツ更新手段を備えたことを特徴とする請求項３に記載の携帯端末。
【請求項６】
前記送信済コンテンツ記憶手段に識別情報が記憶された各コンテンツについての前記取得状況報知手段による報知回数の上限を設定する報知回数設定手段を備え、
前記第二未取得コンテンツ更新手段は、前記取得状況報知手段による報知回数が前記上限を超えたコンテンツがある場合、前記未取得コンテンツ記憶手段からそのコンテンツの識別情報を削除することを特徴とする請求項３から５のいずれかに記載の携帯端末。
【請求項７】
コンテンツの印刷指示を入力する印刷指示入力手段と、
前記印刷指示入力手段により入力された印刷指示を記憶する印刷指示記憶手段と、
前記印刷装置との接続を検知する第二接続検知手段とを備え、
前記印刷指示送信手段は、前記第二接続検知手段により接続が検知された場合に、前記印刷指示記憶手段に記憶された印刷指示を前記印刷装置へ送信することを特徴とする請求項２から６のいずれかに記載の携帯端末。
【請求項８】
請求項２から７のいずれかに記載の携帯端末の各種処理手段としてコンピュータを機能させるための取得状況報知プログラム。
【請求項９】
画像又は文書からなるコンテンツを表示する表示画面を備えた携帯端末からの印刷指示に従い印刷を実行する印刷手段を備えた印刷装置であって、
前記携帯端末から印刷指示を受信する印刷指示受信手段と、
前記印刷指示受信手段により受信した印刷指示に基づき前記印刷手段に前記コンテンツの印刷を実行させる印刷制御手段と、
前記印刷手段により印刷された印刷結果が利用者により取得されたか否かを判断する取得状況判断手段と、
前記取得状況判断手段により印刷結果が取得されたと判断された場合に、利用者により印刷結果が取得されたことを示す取得情報を生成する取得情報生成手段と、
前記取得情報生成手段により生成された取得情報を前記携帯端末に送信する取得情報送信手段とを備えたことを特徴とする印刷装置。
【請求項１０】
利用者が前記印刷結果を取得したことを入力する入力手段を備え、
前記取得状況判断手段は、前記入力手段からの入力により前記印刷結果が利用者により取得されたと判断することを特徴とする請求項９に記載の印刷装置。
【請求項１１】
前記印刷結果が排出される排出トレイから前記印刷結果が抜き取られたことを検出する印刷結果検出手段を備え、
前記取得状況判断手段は、前記印刷結果検出手段により印刷結果が抜き取られたことが検出されたときに、前記印刷結果が取得されたと判断することを特徴とする請求項９又は１０に記載の印刷装置。
【請求項１２】
前記排出トレイが複数ある場合に、前記携帯端末と前記排出トレイとを関連付けて記憶する対応記憶手段を備え、
前記印刷結果検出手段は、前記排出トレイのそれぞれに備えられ、
前記取得情報生成手段は、前記排出トレイごとに前記取得情報を生成することを特徴とする請求項１１に記載の印刷装置。
【請求項１３】
請求項９から１２のいずれかに記載の印刷装置の各種処理手段としてコンピュータを機能させるための取得状況管理プログラム。
【発明の詳細な説明】
【技術分野】
【０００１】
本発明は、携帯端末及び印刷装置から構成され、携帯端末から指示された印刷結果の利用者による取得状況を管理する取得状況管理システム、及びこのシステムを構成する携帯端末及び印刷装置、そのためのプログラムに関するものである。
【背景技術】
【０００２】
近年、オフィスにはネットワークにパソコンやプリンタが接続され、複数の端末装置（利用者）が１台のプリンタを共有して使用することが一般的になっている。このような共有プリンタでは、各端末装置から離れた位置にプリンタが設置されていることが多いため、自分が出した印刷指示に基づく印刷の実行状況を確認する方法が求められる。そこで、印刷データがプリンタに送信されたときや、印刷装置で印刷データが印刷可能に展開されたとき等に端末装置側に通知することが一般的である。さらに、印刷が完了したときにこれを判断して利用者に通知する方法も提案されている（特許文献１参照）。
【特許文献１】特開２００４−９０２３５号公報
【発明の開示】
【発明が解決しようとする課題】
【０００３】
しかしながら、印刷が完了したときに通知があったとしても、その通知直後に利用者が印刷結果を取りに行けないこともある。すると、取りに行かないままに取り忘れて時間が経過してしまうのは避けられなかった。
【０００４】
本発明は上記問題を解決するためになされたものであり、印刷結果を取得したかどうかの状況を報知する取得状況管理システム、及びこのシステムを構成する携帯端末及び印刷装置、そのためのプログラムを提供することを目的とする。
【課題を解決するための手段】
【０００５】
上記目的を達成するために、本発明の請求項１に記載の取得状況管理システムは、画像又は文書からなるコンテンツを表示する表示画面を備え、印刷装置と接続可能な携帯端末と、当該携帯端末からの印刷指示に従いコンテンツの印刷を実行する印刷手段を備えた前記印刷装置とからなる取得状況管理システムであって、前記携帯端末は、コンテンツの印刷指示を前記印刷装置に送信する印刷指示送信手段と、前記印刷指示送信手段により印刷指示が送信されたコンテンツの印刷結果が利用者により取得されたことを示す取得情報を前記印刷装置から受信する取得情報受信手段と、前記取得情報受信手段により受信した取得情報に基づき、前記印刷指示が送信されたコンテンツのうち利用者により取得されていないコンテンツがある場合にその旨を報知する取得状況報知手段とを備え、前記印刷装置は、前記携帯端末から前記印刷指示を受信する印刷指示受信手段と、前記印刷指示受信手段により受信した印刷指示に基づき前記印刷手段に前記コンテンツの印刷を実行させる印刷制御手段と、前記印刷手段により印刷された印刷結果が利用者により取得されたか否かを判断する取得状況判断手段と、前記取得状況判断手段の判断結果に基づき前記取得情報を前記携帯端末に送信する取得情報送信手段とを備えたことを特徴とする。
【０００６】
また、本発明の請求項２に記載の携帯端末は、画像又は文書からなるコンテンツを表示する表示画面を備え、印刷装置に接続可能な携帯端末であって、コンテンツの印刷指示を前記印刷装置に送信する印刷指示送信手段と、前記印刷指示送信手段により印刷指示が送信されたコンテンツの印刷結果が利用者により取得されたことを示す取得情報を前記印刷装置から受信する取得情報受信手段と、前記取得情報受信手段により受信した取得情報に基づき、前記印刷指示が送信されたコンテンツのうち利用者により取得されていないコンテンツがある場合にその旨を報知する取得状況報知手段とを備えたことを特徴とする。
【０００７】
また、本発明の請求項３に記載の携帯端末は、請求項２に記載の発明の構成に加え、前記印刷指示送信手段により印刷指示を送信したコンテンツを識別する識別情報を記憶する送信済コンテンツ記憶手段と、前記取得情報受信手段により受信した取得情報に基づき、前記送信済コンテンツ記憶手段に記憶されたコンテンツの識別情報を削除する送信済コンテンツ更新手段とを備え、前記取得状況報知手段は、前記送信済みコンテンツ記憶手段に識別情報が記憶されたコンテンツを報知することを特徴とする。
【０００８】
また、本発明の請求項４に記載の携帯端末は、請求項２又は３に記載の発明の構成に加え、前記印刷装置との接続若しくは切断を検知する接続検知手段を備え、前記取得状況報知手段は、前記接続手段により前記印刷装置との接続が検知されたとき、または、前記印刷装置との切断が検知されたときに、報知することを特徴とする。
【０００９】
また、本発明の請求項５に記載の携帯端末は、請求項３に記載の発明の構成に加え、前記取得情報を受信していないコンテンツの識別情報を前記送信済みコンテンツ記憶手段から削除する第二送信済コンテンツ更新手段を備えたことを特徴とする。
【００１０】
また、本発明の請求項６に記載の携帯端末は、請求項３から５のいずれかに記載の発明の構成に加え、前記送信済コンテンツ記憶手段に識別情報が記憶された各コンテンツについての前記取得状況報知手段による報知回数の上限を設定する報知回数設定手段を備え、前記第二未取得コンテンツ更新手段は、前記取得状況報知手段による報知回数が前記上限を超えたコンテンツがある場合、前記未取得コンテンツ記憶手段からそのコンテンツの識別情報を削除することを特徴とする。
【００１１】
また、本発明の請求項７に記載の携帯端末は、請求項２から６のいずれかに記載の発明の構成に加え、コンテンツの印刷指示を入力する印刷指示入力手段と、前記印刷指示入力手段により入力された印刷指示を記憶する印刷指示記憶手段と、前記印刷装置との接続を検知する第二接続検知手段とを備え、前記印刷指示送信手段は、前記第二接続検知手段により接続が検知された場合に、前記印刷指示記憶手段に記憶された印刷指示を前記印刷装置へ送信することを特徴とする。
【００１２】
また、本発明の請求項８に記載の取得状況報知プログラムは、請求項２から７のいずれかに記載の発明の各種処理手段としてコンピュータを機能させる。
【００１３】
また、本発明の請求項９に記載の印刷装置は、画像又は文書からなるコンテンツを表示する表示画面を備えた携帯端末からの印刷指示に従い印刷を実行する印刷手段を備えた印刷装置であって、前記携帯端末から印刷指示を受信する印刷指示受信手段と、前記印刷指示受信手段により受信した印刷指示に基づき前記印刷手段に前記コンテンツの印刷を実行させる印刷制御手段と、前記印刷手段により印刷された印刷結果が利用者により取得されたか否かを判断する取得状況判断手段と、前記取得状況判断手段により印刷結果が取得されたと判断された場合に、利用者により印刷結果が取得されたことを示す取得情報を生成する取得情報生成手段と、前記取得情報生成手段により生成された取得情報を前記携帯端末に送信する取得情報送信手段とを備えたことを特徴とする。
【００１４】
また、本発明の請求項１０に記載の印刷装置は、請求項９に記載の発明の構成に加え、利用者が前記印刷結果を取得したことを入力する入力手段を備え、前記取得状況判断手段は、前記入力手段からの入力により前記印刷結果が利用者により取得されたと判断することを特徴とする。
【００１５】
また、本発明の請求項１１に記載の印刷装置は、請求項９又は１０に記載の発明の構成に加え、前記印刷結果が排出される排出トレイから前記印刷結果が抜き取られたことを検出する印刷結果検出手段を備え、前記取得状況判断手段は、前記印刷結果検出手段により印刷結果が抜き取られたことが検出されたときに、前記印刷結果が取得されたと判断することを特徴とする。
【００１６】
また、本発明の請求項１２に記載の印刷装置は、請求項１１に記載の発明の構成に加え、前記排出トレイが複数ある場合に、前記携帯端末と前記排出トレイとを関連付けて記憶する対応記憶手段を備え、前記印刷結果検出手段は、前記排出トレイのそれぞれに備えられ、前記取得情報生成手段は、前記排出トレイごとに前記取得情報を生成することを特徴とする。
【００１７】
また、本発明の請求項１３に記載の取得状況管理プログラムは、請求項９から１２のいずれかに記載の発明の各種処理手段としてコンピュータを機能させる。
【発明の効果】
【００１８】
本発明の請求項１に記載の取得状況管理システムは、携帯端末から印刷装置に印刷指示が送信され、印刷装置においてその印刷指示に基づいて印刷が実行される。そして、印刷装置では実行された印刷結果が利用者により取得されたか否かを判断し、携帯端末に対してコンテンツの印刷結果が利用者により取得されたことを示す取得情報が送信される。携帯端末では、受信した取得情報に基づいて印刷指示が送信されたコンテンツのうち利用者により取得されていないコンテンツがある場合にその旨を報知する。従って、印刷指示を送信し、印刷が実行されたにもかかわらず印刷結果を取りに行っていないコンテンツがある場合に携帯端末で報知がなされるので、印刷物の取り忘れを防ぐことができる。
【００１９】
また、本発明の請求項２に記載の携帯端末は、コンテンツの印刷指示を印刷装置に送信し、そのコンテンツの印刷結果が利用者により取得されたことを示す取得情報を印刷装置から受信し、その取得情報に基づいて、印刷指示が送信されたコンテンツのうち利用者により取得されていないコンテンツがある場合にその旨を報知する。従って、印刷指示を送信し、印刷が実行されたにもかかわらず印刷結果を取りに行っていないコンテンツがある場合に報知がなされるので、印刷物の取り忘れを防ぐことができる。
【００２０】
また、本発明の請求項３に記載の携帯端末は、請求項２に記載の発明の効果に加え、印刷指示を送信したコンテンツの識別情報を送信済コンテンツ記憶手段に記憶しておき、印刷装置から受信した取得情報内に存在するコンテンツの識別情報は送信済コンテンツ記憶手段から削除する。そして、送信済コンテンツ記憶手段に残っているコンテンツを利用者により取得されていないコンテンツとして報知する。従って、印刷指示を送信し、印刷が実行されたにもかかわらず印刷結果を取りに行っていないコンテンツがある場合に確実に報知することができる。
【００２１】
また、本発明の請求項４に記載の携帯端末は、請求項２又は３に記載の発明の効果に加え、印刷装置との接続・切断を検知して、接続時又は切断時に利用者により印刷結果が取得されていないコンテンツがある場合にその旨を報知することができる。
【００２２】
また、本発明の請求項５に記載の携帯端末は、請求項３に記載の発明の効果に加え、送信済コンテンツ記憶手段に記憶されているコンテンツの識別情報を、取得情報がなくても第二送信済コンテンツ更新手段が削除するので、印刷結果が実際には取得されていても印刷装置側の問題等何らかの理由で取得情報が送信されない場合に継続して未取得コンテンツとして報知されてしまうことを防止できる。
【００２３】
また、本発明の請求項６に記載の携帯端末は、請求項３から５のいずれかに記載の発明の効果に加え、印刷結果を取りに行っていないコンテンツとして報知される回数の上限を設けたので、印刷結果が実際には取得されていても印刷装置側の問題等何らかの理由で取得情報が送信されない場合に繰り返し未取得コンテンツとして報知されてしまうことを防止できる。
【００２４】
また、本発明の請求項７に記載の携帯端末は、請求項２から６のいずれかに記載の発明の効果に加え、印刷指示を予め入力して記憶しておき、印刷装置と接続したことが検知されたときに記憶されている印刷指示を印刷装置に送信する。従って、所望のときに印刷指示を行い、接続時にまとめて印刷を実行させることができる。
【００２５】
また、本発明の請求項８に記載の取得状況報知プログラムは、コンピュータに実行させることにより、請求項２から７のいずれかに記載の発明の各種処理手段としての作用効果を奏することができる。
【００２６】
また、本発明の請求項９に記載の印刷装置は、携帯端末からの印刷指示を受信してそれに基づいて印刷を実行する。そして、その印刷結果が利用者により取得されたか否かを判断して、取得された場合には取得情報を生成して携帯端末に送信する。印刷指示が送信され、印刷が実行されて印刷結果が取得されたコンテンツについて取得情報を携帯端末に提供できるので、携帯端末にて印刷が実行されたにもかかわらず印刷結果を取りに行っていないコンテンツがある場合に報知がなされ、印刷物の取り忘れを防ぐことができる。
【００２７】
また、本発明の請求項１０に記載の印刷装置は、請求項９に記載の発明の効果に加え、印刷結果を取得したときに使用者がその旨を入力できるので、その入力に基づいて、簡単な方法で印刷結果の取得を判断することができる。
【００２８】
また、本発明の請求項１１に記載の印刷装置は、請求項９又は１０に記載の発明の効果に加え、排出トレイから印刷結果が抜き取られたときに印刷結果が取得されたと判断する。トレイから印刷結果が抜き取られれば、印刷結果は使用者により取得された可能性が高いので、入力を受け付けなくても取得状況を簡単に判断することができる。
【００２９】
また、本発明の請求項１２に記載の印刷装置は、請求項１１に記載の発明の効果に加え、複数の排出トレイが備えられている場合に、その排出トレイと携帯端末とを対応づけて記憶しておけば、排出トレイのそれぞれから印刷結果が抜き取られたときに対応する携帯端末の印刷結果が取得されたとして取得情報を生成できる。従って、精度の高い取得情報を携帯端末に提供できる。
【００３０】
また、本発明の請求項１３に記載の取得状況管理プログラムは、コンピュータに実行させることにより、請求項９から１２のいずれかに記載の発明の各種処理手段としての作用効果を奏することができる。
【発明を実施するための最良の形態】
【００３１】
以下、本発明の実施の形態について、図面を参照して説明する。まず、図１を参照して、本実施形態の取得状況管理システム１００の概略について説明する。図１は、取得状況管理システム１００の概略を示すシステム構成図である。
【００３２】
図１に示すように、取得状況管理システム１００は、複数の携帯端末１と印刷装置２とから構成されている。携帯端末１は、表示部を備えた携帯型の端末であり、ネットワークを介して又はＰＣなどの外部機器から文字や画像からなるコンテンツをダウンロードし、表示部に表示させる。また、携帯端末１は、ＬＡＮ３を介して印刷装置２に接続し、記憶しているコンテンツの印刷指示を送信して印刷装置２に印刷させることができる。印刷装置２は、携帯端末１と接続して印刷データを受信し、印刷を実行できるものであればよく、レーザ、インクジェット等印刷方式を問わない。携帯端末１と印刷装置２のＬＡＮ３を介した接続は、有線接続であっても無線接続であってもよい。また、携帯端末１と印刷装置２は、常時接続している必要はなく、接続中はすぐに印刷データを送信するが、非接続時に印刷指示操作が入力されたときには印刷待リスト（後述）を作成して記憶しておき、印刷装置２に接続したときに印刷待リストに従って順に印刷データを送信して印刷を実行する。また、本実施形態では、携帯端末１で印刷データを作成して印刷装置２に送信しているが、携帯端末１からはコンテンツデータ自体を送信し、印刷装置２側で印刷データに展開してもよい。
【００３３】
そして、印刷データが送信されると、携帯端末１では、送信したコンテンツを未取得リストに追加する。未取得リストの内容は、表示部に表示されて、使用者に印刷結果を取りに行くように促す。また、印刷装置２では、印刷データを携帯端末１から受信し、印刷を実行すると、未取得リストにそのコンテンツを追加する。そして、携帯端末１の使用者が印刷結果を取得して印刷装置２がそれを検知すると取得済情報が作成され、携帯端末１に送信される。携帯端末１では、受信した取得済情報に基づいて未取得リストを更新し、新たな未取得リストの内容で表示を行い、使用者に注意を喚起する。また、未取得リストの表示は、取り忘れ防止機能として、その機能のＯＮ・ＯＦＦ、さらに、いつ表示させるかを使用者が設定可能とされている。以下の実施形態では、取り忘れ防止機能を印刷装置２との接続時及び切断時に起動させることができるようになっている。
【００３４】
以下に説明する本発明の実施形態は、印刷装置２における管理方法の相違により、４つの実施形態をとっている。いずれの実施形態においても携帯端末１及び印刷装置２の物理的・電気的構成は共通であるので、これらについて先に説明する。また、携帯端末１における処理の流れは全ての実施形態について共通である。
【００３５】
次に、図２〜図６を参照して携帯端末１の電気的構成について説明する。図２は、携帯端末１の電気的構成を示すブロック図である。図３は、ＲＡＭ１２の構成を示す模式図である。図４は、ＲＡＭ１２の印刷待リスト記憶エリア１２１の構成を示す模式図である。図５は、ＲＡＭ１２の未取得リスト記憶エリア１２２の構成を示す模式図である。図６は、ＥＥＰＲＯＭ１３の構成を示す模式図である。
【００３６】
図２に示すように、携帯端末１には、携帯端末１の制御を司るＣＰＵ１０が設けられ、ＣＰＵ１０には、携帯端末１を動作させるためのプログラム等を記憶したＲＯＭ１１と、各種のデータを一時的に記憶するＲＡＭ１２と、不揮発メモリであるＥＥＰＲＯＭ１３と、表示部１５の制御を行う表示コントローラ１４と、ユーザによる入力を受け付けるボタンや十字キーからなる操作キー１６と、ＰＣ（図示外）や印刷装置２等の他の機器と接続するための外部通信インタフェイス（Ｉ／Ｆ）１７と、メモリカード１９を接続するためのメモリカードコントローラ１８とがバスを介して接続されている。メモリカード１９には、ＰＣ等からダウンロードしたコンテンツ情報を記憶するコンテンツ情報記憶エリア１９１が設けられている。
【００３７】
次に、図３を参照して、ＲＡＭ１２の構成について説明する。ＲＡＭ１２には、印刷待リスト記憶エリア１２１，未取得リスト記憶エリア１２２が少なくとも設けられている。印刷待リスト記憶エリア１２１には、印刷装置２に接続していないときに印刷指示が入力されたコンテンツの識別情報が記憶される。未取得リスト記憶エリア１２２には、印刷指示が入力されたコンテンツのうち、まだ印刷結果が取得されていないコンテンツの識別情報が記憶される。
【００３８】
次に、図４を参照して、印刷待リスト記憶エリア１２１について説明する。印刷待リスト記憶エリア１２１には、携帯端末１が印刷装置２に接続していないときに操作キー１６から印刷指示がなされた場合に、印刷指示の入力順に記憶される印刷待リストが記憶される。図４に示すように、１件の印刷待コンテンツデータは、印刷指示ＩＤ、印刷指示のなされたコンテンツのファイル名、印刷指示の入力された日時、印刷先として指定された印刷装置のＩＤからなっている。携帯端末１が印刷装置２に接続し、印刷データが印刷装置２に送信されると、そのコンテンツについての印刷待コンテンツデータは印刷待リストから削除される。
【００３９】
次に、図５を参照して、未取得リスト記憶エリア１２２について説明する。未取得リスト記憶エリア１２２には、使用者により印刷結果がまだ印刷装置２から取得されていないコンテンツのリストである未取得リストが記憶される。未取得リストには、印刷データが印刷装置２に送信されたときに、そのコンテンツの情報が追加される。１件の未取得コンテンツデータは、図５に示すように、未取得コンテンツＩＤ、コンテンツのファイル名、残り表示回数、印刷指示（印刷データ）が送信された日時、印刷先として指定された印刷装置のＩＤからなっている。本実施形態では、印刷結果が未取得であるとして表示させる回数の上限を各コンテンツについて設けているので、未取得リストにデータを追加したときには上限値を残り表示回数に記憶し、表示させるたびに残り表示回数から１を減じていく。印刷装置２から取得済情報が送信されると、その中に含まれるコンテンツについては未取得リストから削除される。
【００４０】
次に、図６を参照して、ＥＥＰＲＯＭ１３の構成について説明する。携帯端末１のＥＥＰＲＯＭ１３には、その携帯端末を他の携帯端末１から識別するための固有情報である端末ＩＤを記憶する端末ＩＤ記憶エリア１３１，携帯端末１を使用している使用者名を記憶する使用者名記憶エリア１３２が少なくとも設けられている。図６の例の携帯端末１は、端末ＩＤが「ｍ１２３」であり、使用者名が「ｓｕｚｕｋｉ」である。端末ＩＤは印刷データの送信時に送信され、印刷装置２の未取得リスト、取得済リストのデータの項目内容として記憶される（図９及び図１０参照）。使用者名は、印刷データ及び端末ＩＤとともに送信されるか、端末ＩＤと組にして予め印刷装置２に登録され、印刷装置２の未取得リスト、取得済リストのデータの項目内容として記憶される（図９及び図１０参照）。
【００４１】
次に、図７〜図１０を参照して、印刷装置２について説明する。図７は、印刷装置２の電気的構成を示すブロック図である。図８は、印刷装置２のＲＡＭ２２の構成を示す模式図である。図９は、未取得リスト記憶エリア２２１の構成を示す模式図である。図１０は、取得済リスト記憶エリア２２２の構成を示す模式図である。
【００４２】
図７に示すように、印刷装置２には、印刷装置２の制御を司るＣＰＵ２０が設けられ、ＣＰＵ２０には、印刷装置２を動作させるための各種プログラム等を記憶したＲＯＭ２１と、各種のデータを一時的に記憶するＲＡＭ２２と、ＥＥＰＲＯＭ２３と、表示画面である液晶ディスプレイ（ＬＣＤ）２５と、印刷を行う記録部２８と、ユーザによる入力を受け付ける操作キー２６と、排紙トレイ（図示外）に設けられ、印刷結果が抜き取られたかどうかを検知する光センサ２４と、ネットワークであるＬＡＮ３に接続するためのＬＡＮコントローラ２７がバスを介して接続されている。また、ＥＥＰＲＯＭ２３には、印刷装置２を識別するための装置ＩＤを記憶した装置ＩＤ記憶エリア２３１が設けられている。
【００４３】
次に、図８を参照して、印刷装置２のＲＡＭ２２について説明する。ＲＡＭ２２には、未取得リスト記憶エリア２２１、取得済リスト記憶エリア２２２が少なくとも設けられており、後述する第三及び第四実施形態では、登録済端末リスト記憶エリア２２３も設けられている（図３２参照）。
【００４４】
次に、図９を参照して、未取得リスト記憶エリア２２１について説明する。未取得リスト記憶エリア２２１には、携帯端末１の使用者により印刷結果がまだ取得されていないコンテンツのリストである未取得リストが記憶される。未取得リストには、携帯端末１から印刷データを受信し、印刷を実行したときに、そのコンテンツの情報が追加される。１件の未取得コンテンツデータは、図９に示すように、未取得コンテンツＩＤ、コンテンツのタイトル名、印刷が完了した日時、印刷指示元の携帯端末１の端末ＩＤ、その携帯端末１の使用者名からなっている。未取得コンテンツデータは、そのコンテンツについての取得済情報の入力時、及び／又はそのコンテンツが取得済リストに追加されたときに削除される。また、未取得リストの内容は、ＬＣＤ２５に表示され、使用者がその内容を確認して印刷結果を排紙トレイから抜き取り、抜き取ったときに取得した旨を操作キー２６から入力できるようになっている。
【００４５】
次に、図１０を参照して、取得済リスト記憶エリア２２２について説明する。取得済リスト記憶エリア２２２には、印刷結果が携帯端末１の使用者により取得されたと判断されたが、まだその情報を携帯端末１に送信していないコンテンツのリストである取得済リストが記憶される。１件の取得済コンテンツデータは、取得済コンテンツＩＤ、コンテンツのタイトル名、コンテンツの印刷が完了した日時、印刷指示元の携帯端末１の端末ＩＤ、その携帯端末１の使用者名からなっている。印刷結果の取得は、ＬＣＤ２５に表示されている未取得リストの内容が使用者により取得した旨の入力を受け付けたとき、あるいは、排紙トレイの中が空であると光センサ２４により検知されたときに取得したと判断される。
【００４６】
次に、上記のように構成された取得状況管理システム１００の動作について、まず、全ての実施形態に共通する携帯端末１における処理、次いで印刷装置２における処理を第一〜第四実施形態の順に説明する。まず、図１１〜図１９を参照して携帯端末１における処理について説明する。図１１は、携帯端末１のメイン処理のフローチャートである。図１２は、携帯端末１のメイン処理で実行される目次表示処理のフローチャートである。図１３は、携帯端末１のメイン処理で実行されるキー入力処理のフローチャートである。図１４は、キー入力処理で実行されるコンテンツ選択処理のフローチャートである。図１５は、キー入力処理で実行されるコンテンツ決定処理のフローチャートである。図１６は、キー入力処理で実行される頁めくり処理のフローチャートである。図１７は、キー入力処理で実行されるコンテンツ印刷処理のフローチャートである。図１８は、携帯端末１のメイン処理で実行される接続更新時処理のフローチャートである。図１９は、接続更新時処理で実行される未取得情報表示処理のフローチャートである。
【００４７】
携帯端末１では、電源が投入されるとＲＯＭ１１に記憶されているプログラムがＲＡＭ１２に読み出されて起動され、図１１に示すメイン処理がＣＰＵ１０により実行される。まず、目次表示処理を実行する（Ｓ１）。目次表示処理では、図１２に示すように、メモリカード１９のコンテンツ情報記憶エリア１９１に記憶されているコンテンツの情報（コンテンツ名、頁数等）を取得して（Ｓ１１）、目次画面を生成し、表示する（Ｓ１２）。
【００４８】
目次表示処理の終了後、電源ＯＦＦ操作が実行されれば（Ｓ２：ＹＥＳ）、メイン処理を終了し、電源ＯＦＦ操作がなされなければ（Ｓ２：ＮＯ）、Ｓ３〜Ｓ７の処理を繰り返し実行する。
【００４９】
まず、キー入力操作に応じた各種処理を実行する（キー入力処理：Ｓ３）。キー入力処理の詳細は、図１３〜図１７を参照して後述する。そして、印刷装置に接続されているかどうかを示す接続情報が更新（接続→切断、切断→接続）されたか否かを判断し（Ｓ４）、更新されていれば（Ｓ４：ＹＥＳ）、接続更新時処理を実行する（Ｓ５）。尚、印刷装置２と接続しているかどうかは、外部通信Ｉ／Ｆを定期的に監視するプログラム（図示外）により判断される。また、接続更新時処理の詳細は、図１８を参照して後述する。
【００５０】
接続更新時処理の終了後、又は、接続情報が更新されていなければ（Ｓ４：ＮＯ）、印刷装置２から取得済情報を受信したか否かを判断して（Ｓ６）、受信していなければ（Ｓ６：ＮＯ）そのままＳ２に戻る。取得済情報を受信した場合には（Ｓ６：ＹＥＳ）、未取得リストから取得済情報に対応するコンテンツを削除して更新する（Ｓ７）。そしてＳ２に戻る。
【００５１】
次に、図１３を参照してメイン処理の中で実行されるキー入力処理について説明する。キー入力処理は、操作キー１６からの入力操作に応じて携帯端末１の各種機能を呼び出す処理である。ここでは、コンテンツ選択処理、コンテンツ決定処理、頁めくり処理、目次表示処理、コンテンツ印刷処理の５つの処理をとりあげているが、携帯端末１で可能な動作はこれらに限られるものではない。また、これらの処理のうち、本発明の要部に関連する処理は、コンテンツ印刷処理である。
【００５２】
キー入力処理が開始されると、まず操作キー１６の十字キー上下によるコンテンツ選択操作か否かを判断し（Ｓ３１）、十字キー上下であれば（Ｓ３１：ＹＥＳ）、コンテンツ選択処理を実行する（Ｓ３２）。コンテンツ選択処理では、図１４に示すように、目次画面が表示中であれば（Ｓ３２１：ＹＥＳ）、一覧表示されているコンテンツの中でハイライト表示されている選択コンテンツを更新し（Ｓ３２２）、キー入力処理に戻り、さらにメイン処理に戻る。目次画面が表示されていなければ（Ｓ３２１：ＮＯ）、このキー操作は無効となり、そのままキー入力処理に戻って、さらにメイン処理に戻る。
【００５３】
十字キー上下操作でなければ（Ｓ３１：ＮＯ）、決定ボタンによるコンテンツ決定操作か否かを判断し（Ｓ３３）、決定操作であれば（Ｓ３３：ＹＥＳ）、コンテンツ決定処理を実行する（Ｓ３４）。コンテンツ決定処理では、図１５に示すように、目次画面が表示中であれば（Ｓ３４１：ＹＥＳ）、一覧表示されているコンテンツの中でハイライト表示されている選択コンテンツのコンテンツデータをメモリカード１９のコンテンツ情報記憶エリア１９１から取得し（Ｓ３４２）、その１ページ目を表示部１５に表示させる（Ｓ３４３）。そして、キー入力処理に戻り、さらにメイン処理に戻る。目次画面が表示されていなければ（Ｓ３４１：ＮＯ）、このキー操作は無効となり、そのままキー入力処理に戻り、さらにメイン処理に戻る。
【００５４】
コンテンツ決定操作でなければ（Ｓ３３：ＮＯ）、操作キー１６の左右キー操作による頁めくり操作か否かを判断し（Ｓ３５）、十字キー左右操作であれば（Ｓ３５：ＹＥＳ）、頁めくり処理を実行する（Ｓ３６）。頁めくり処理では、図１６に示すように、コンテンツが表示中であれば（Ｓ３６１：ＹＥＳ）、表示中のコンテンツの更新ページ（次ページ又は前ページ）を表示させる（Ｓ３６２）。そして、キー入力処理に戻り、さらにメイン処理に戻る。コンテンツが表示されていなければ（Ｓ３６１：ＮＯ）、このキー操作は無効となり、そのままキー入力処理に戻り、さらにメイン処理に戻る。
【００５５】
左右キー操作でなければ（Ｓ３５：ＮＯ）、目次表示操作キーの入力か否かを判断し（Ｓ３７）、目次表示操作であれば（Ｓ３７：ＹＥＳ）、図１２の目次表示処理を実行して（Ｓ３８）メイン処理に戻る。
【００５６】
目次表示操作でなければ（Ｓ３７：ＮＯ）、コンテンツ印刷操作がなされたかどうかを判断する（Ｓ３９）。コンテンツ印刷操作は、表示中のコンテンツの画面に表示された印刷ボタンを操作キー１６で選択して表示中コンテンツの印刷を指示しても良いし、目次表示画面にコンテンツの表示ボタンと印刷ボタンを用意して、印刷ボタンが操作キー１６で選択された場合に選択コンテンツの印刷指示としてもよい。コンテンツ印刷操作がなされなければ（Ｓ３９：ＮＯ）、そのままメイン処理に戻る。コンテンツ印刷操作がなされた場合には（Ｓ３９：ＹＥＳ）、コンテンツ印刷処理を実行し（Ｓ４０）、メイン処理に戻る。
【００５７】
ここで、図１７を参照して、コンテンツ印刷処理について説明する。まず、印刷装置２に接続中かどうかを外部通信Ｉ／Ｆの監視結果により判断する（Ｓ４０１）。印刷装置２に接続中であれば（Ｓ４０１：ＹＥＳ）、印刷指示されたコンテンツの印刷データを印刷装置２に送信する（Ｓ４０３）。そして、未取得リスト（図５）にそのコンテンツを追加する（Ｓ４０４）。追加する際には、残り表示回数を上限設定値のｎ（例えば３回）とする。
【００５８】
印刷装置２に接続中でなければ（Ｓ４０１：ＮＯ）、印刷待リスト（図４）に印刷指示入力されたコンテンツを追加する（Ｓ４０２）。そして、キー入力処理に戻り、さらにメイン処理に戻る。
【００５９】
次に、印刷装置２に接続したり、接続中から切断したりという接続情報の更新があったときに実行される接続更新時処理（図１１，Ｓ５）について、図１８を参照して説明する。
【００６０】
まず、印刷装置２に接続したかどうかを判断し（Ｓ５１）、接続した場合には（Ｓ５１：ＹＥＳ）、印刷装置２に取得済情報を要求して受信する（Ｓ５２）。そして、受信した取得済情報の中に未取得リスト（図５）中にあるコンテンツが存在すれば、そのコンテンツを未取得リストから削除して、未取得リストを更新する（Ｓ５３）。
【００６１】
次に、印刷待リスト（図４）にあるコンテンツの印刷データを順に印刷装置２に送信する（Ｓ５４）。そして、印刷データを送信したコンテンツを未取得リスト（図５）に追加する（Ｓ５５）。追加する際には、残り表示回数を上限設定値のｎ（例えば３回）とする。次いで、印刷データを送信したコンテンツを印刷待リストから削除する（Ｓ５６）。
【００６２】
次に、接続時の取り忘れ防止機能がＯＮになっているかどうかを判断し（Ｓ５７）、ＯＮになっていれば（Ｓ５７：ＹＥＳ）、未取得リスト（図５）を表示して印刷結果の取得を促す未取得情報表示処理を実行し（Ｓ５８）、メイン処理に戻る。ＯＦＦになっていれば（Ｓ５７：ＮＯ）、そのままメイン処理に戻る。
【００６３】
一方、印刷装置２から切断した場合には（Ｓ５１：ＮＯ）、切断時の取り忘れ防止機能がＯＮになっているかどうかを判断し（Ｓ５９）、ＯＮになっていれば（Ｓ５９：ＹＥＳ）、未取得リスト（図５）を表示して印刷結果の取得を促す未取得情報表示処理を実行し（Ｓ６０）、メイン処理に戻る。ＯＦＦになっていれば（Ｓ５９：ＮＯ）、そのままメイン処理に戻る。
【００６４】
ここでは、取り忘れ防止機能として、未取得リストの情報表示をいつ行なうかを使用者が設定可能としており、印刷装置２への接続時、又は切断時の一方または両方に表示させることができる。印刷装置２に接続したときに取得済情報により未取得リスト（図５）が更新されるので、接続時又は切断時のタイミングで表示を行なえば、精度の高い取得状況の報知を行なうことができる。
【００６５】
ここで、図１９を参照して、未取得情報表示処理の詳細について説明する。まず、未取得リスト（図５）の内容を表示部１５に表示させる（Ｓ７１）。次いで、未取得リスト内にある各コンテンツの残り表示回数を１減らして更新する（Ｓ７２）。そして、残り表示回数が０になったコンテンツを未取得リストから削除する（Ｓ７３）。そして、接続更新処理（図１８）、さらに、メイン処理（図１１）に戻る。
【００６６】
次に、印刷装置２における処理について、第一〜第四実施形態を順に説明する。まず、第一実施形態について、図２０〜図２４を参照して説明する。第一実施形態では、印刷装置２はコンテンツ毎に未取得リストを管理し、そのコンテンツの印刷結果が使用者により取得されたかどうかの判断は、使用者からの入力により行い、それに基づいて取得済情報を作成して携帯端末１に送信することを基本とする。図２０は、第一実施形態の印刷装置２のメイン処理のフローチャートである。図２１は、メイン処理で実行される第一実施形態の印刷データ受信処理のフローチャートである。図２２は、メイン処理で実行される第一実施形態の取得済情報入力処理のフローチャートである。図２３は、メイン処理で実行される第一実施形態の取得済情報送信処理のフローチャートである。図２４は、メイン処理で実行される第一実施形態の未取得リストクリア処理のフローチャートである。
【００６７】
第一実施形態の印刷装置２では、電源が投入されるとＲＯＭ２１に記憶されているプログラムがＲＡＭ２２に読み出されて起動され、図２０に示すメイン処理がＣＰＵ２０により実行される。まず、ＲＡＭ２２の各記憶エリアがクリアされ、各種の設定値が読み込まれる等の初期化処理が実行される（Ｓ１００）。
【００６８】
初期化処理の実行後、電源ＯＦＦ操作が実行されれば（Ｓ１０１：ＹＥＳ）、メイン処理を終了し、電源ＯＦＦ操作がなされなければ（Ｓ１０１：ＮＯ）、Ｓ１０２〜Ｓ１１６の処理を繰り返し実行する。
【００６９】
まず、携帯端末１から印刷データを受信したか否かを判断し（Ｓ１０２）、受信していれば（Ｓ１０２：ＹＥＳ）、印刷データ受信処理を実行する（Ｓ１０３）。印刷データ受信処理では、図２１に示すように、まず、受信した印刷データに基づいて記録部２８で印刷を実行する（Ｓ１３５）。そして、未取得リスト（図９）に印刷完了したコンテンツを追加する（Ｓ１３７）。そして、未取得リストをＬＣＤ２５に表示する（Ｓ１３９）。このようにＬＣＤ２５に未取得リストを表示しておくと、印刷結果を取りに来た携帯端末１の使用者が、表示されたコンテンツを取得した旨を入力することができる（後述）。未取得リストの表示後は、メイン処理に戻る。
【００７０】
印刷データ受信処理の終了後、又は、印刷データを受信していない場合には（Ｓ１０２：ＮＯ）、取得済情報が入力されたかどうかを判断する（Ｓ１０７）。印刷結果を取りに来た携帯端末１の使用者は、ＬＣＤ２５に表示されている未取得リストの中から、自分が取得したコンテンツを選択して印刷結果を取得したこと（取得済情報）を操作キー２６を用いて入力することができる。このような取得済情報の入力があったかどうかをここでは判断している。入力があった場合には（Ｓ１０７：ＹＥＳ）、取得済情報入力処理を実行する（Ｓ１０９）。
【００７１】
取得済情報入力処理では、図２２に示すように、まず、取得済情報の入力対象とされたコンテンツを印刷指示した携帯端末１が接続中かどうかを判断し（Ｓ１５１）、接続中であれば（Ｓ１５１：ＹＥＳ）、その携帯端末１に今入力を受け付けた取得済情報を送信する（Ｓ１５５）。前述のように、携帯端末１では、取得済情報を受信して未取得リスト（図５）を更新する（図１１，Ｓ７）。
【００７２】
携帯端末１が接続中でなければ（Ｓ１５１：ＮＯ）、取得済リスト（図１０）に取得済情報の入力対象とされたコンテンツを追加する（Ｓ１５３）。
【００７３】
Ｓ１５３又はＳ１５５の処理終了後、未取得リスト記憶エリア２２１に記憶されている未取得リスト（図９）から対象コンテンツを削除する（Ｓ１５７）。そして、更新後の未取得リストをＬＣＤ２５に表示し（Ｓ１５９）、メイン処理に戻る。
【００７４】
取得済情報入力処理の実行後、又は、取得済情報の入力がなかった場合には（Ｓ１０７：ＮＯ）、取得済情報の要求を携帯端末１から受信したかどうかを判断し（Ｓ１１１）、受信した場合には（Ｓ１１１：ＹＥＳ）、取得済情報送信処理を実行する（Ｓ１１２）。取得済情報送信処理では、図２３に示すように、取得済リスト（図１０）の中から、要求元の携帯端末１により印刷指示されたコンテンツを抽出する（Ｓ１７１）。そして、抽出したコンテンツの取得済情報を要求元の携帯端末１に送信する（Ｓ１７３）。次いで、取得済リストから抽出し、送信されたコンテンツを削除する（Ｓ１７６）。
【００７５】
取得済情報送信処理の実行後、又は、取得済情報の要求を受信していなければ（Ｓ１１１：ＮＯ）、次に、排紙トレイが空かどうかを光センサ２４からの入力により判断する（Ｓ１１５）。そして、空の場合には（Ｓ１１５：ＹＥＳ）、未取得リストや取得済リストの内容にかかわらず、既に印刷結果が携帯端末１の使用者により取得されたと判断して、未取得リストのクリア処理を実行する（Ｓ１１６）。
【００７６】
未取得リストクリア処理では、図２４に示すように、まず、全ての未取得コンテンツが取得された取り扱いにするために、未取得リストの全コンテンツを取得済リストに追加する（Ｓ２０１）。次いで、未取得リストを初期化する（Ｓ２０５）。尚、未取得リストの初期化の前に、未取得リスト内に登録されている端末ＩＤを一時的に記憶させておく。そして、未取得リストをＬＣＤ２５に表示する（Ｓ２１０）。ここでは、Ｓ２０５で未取得リストは初期化されているので、取得されていないコンテンツはなしと表示される。
【００７７】
次いで、接続中の携帯端末１があれば、上記で更新された取得済情報を送信する（Ｓ２１３，Ｓ２１４）。そのために、Ｓ２０５で初期化される前に未取得リストに登録されていた全端末について処理したかどうかを判断し（Ｓ２１２）、まだ未処理の携帯端末１があれば（Ｓ２１２：ＮＯ）、その端末が接続中であれば（Ｓ２１３：ＹＥＳ）、前述の取得済情報送信処理を実行する（Ｓ２１４、図２３）。接続中でなければ（Ｓ２１３：ＮＯ）、取得済情報は送信せず、次回接続時に携帯端末１から要求されるのを待つことになる。そして、Ｓ２１２に戻って次の携帯端末１についての処理を行なう。そして、全端末について以上の接続確認処理が終了したら（Ｓ２１２：ＹＥＳ）、メイン処理に戻る。
【００７８】
以上説明したように、第一実施形態の印刷装置２を備えた取得状況管理システム１００によれば、携帯端末１と印刷装置２が接続したときに携帯端末１から印刷装置２に印刷データが送信され、印刷装置２において印刷が実行される。携帯端末１では、印刷データの送信時に、送信したコンテンツを携帯端末１内の未取得リストに追加して記憶しておく。印刷装置２では、印刷完了後に、そのコンテンツを印刷装置２内の未取得リストに追加する。そして、印刷結果が携帯端末１の使用者に取得されたかどうかを使用者に入力させて判断し、取得されたときには、未取得リストから削除して取得済リストを作成する。携帯端末１が印刷装置２に接続したときに、取得済リストからその携帯端末１に指示された印刷結果についての取得済情報を生成し、携帯端末１に送信する。携帯端末１では、受信した取得済情報により、記憶していた未取得リストを更新し、その未取得リストに従って、印刷結果の取得されていないコンテンツがあることを表示部に表示させ、使用者に取得を促す。このように、印刷の完了でなく印刷結果の取得状況を印刷装置２から携帯端末１に送信し、携帯端末１で報知するので、使用者による印刷結果の取り忘れを防止することができる。さらに、印刷装置２の排紙トレイに光センサ２４を設け、そのセンサからの入力により、印刷結果が排紙トレイから抜き取られたかどうか（排紙トレイが空かどうか）を検知し、排紙トレイが空になっていれば、未取得リストの状況にかかわらず、全てが取得済であるという取得済情報を生成して携帯端末１に送信する。従って、使用者が印刷結果の取得時に入力を忘れた場合にも、未取得の報知がされつづけることを防ぐことができる。また、未取得の報知（取り忘れ防止報知）の回数に上限を設けたので、印刷装置２側のトラブル等で取得済情報が受信できない場合に未取得の報知がされつづけることを防ぐことができる。
【００７９】
尚、上記第一実施形態において、図１７のＳ４０３及び図１８のＳ５４で印刷データを送信する携帯端末１のＣＰＵ１０が本発明の印刷指示送信手段に相当する。また、図１８のＳ５２で取得済情報を受信する携帯端末１のＣＰＵ１０が本発明の取得情報受信手段に相当する。また、図１８のＳ５８及びＳ６０、図１９で未取得情報表示処理を実行する携帯端末１のＣＰＵ１０が本発明の取得状況報知手段に相当する。また、未取得リスト記憶エリア１２２が本発明の送信済コンテンツ記憶手段に相当する。また、図１８のＳ５３で未取得リストを更新する携帯端末１のＣＰＵ１０が本発明の送信済コンテンツ更新手段に相当する。また、図１６のＳ５１で印刷装置への接続を判断する携帯端末１のＣＰＵ１０が本発明の接続検知手段に相当する。また、図１９のＳ７３でコンテンツを未取得リストから削除する携帯端末１のＣＰＵ１０が本発明の第二送信済コンテンツ更新手段に相当する。また、図１７のＳ４０４及び図１８のＳ５５で残り表示回数をセットする携帯端末１のＣＰＵ１０が本発明の報知回数設定手段に相当する。また、携帯端末１の操作キー１６が本発明の印刷指示入力手段に相当する。また、印刷待リスト記憶エリア１２１が本発明の印刷指示記憶手段に相当する。また、図２０のＳ１０３及び図２１で印刷データ受信処理を実行する印刷装置２のＣＰＵ２０が本発明の印刷指示受信手段に相当する。また、図２１のＳ１３５で印刷を実行する印刷装置２のＣＰＵ２０が本発明の印刷制御手段に相当する。また、図２０のＳ１０７で取得済情報の入力を判断し、Ｓ１１５で排紙トレイが空かを判断する印刷装置２のＣＰＵ２０が本発明の取得状況判断手段に相当する。また、図２２のＳ１５３及び図２４のＳ２０１で取得済リストにコンテンツを追加する印刷装置２のＣＰＵ２０が本発明の取得情報生成手段に相当する。また、図２３のＳ１７３で取得済情報を送信する印刷装置２のＣＰＵ２０が本発明の取得情報送信手段に相当する。また、印刷装置２の操作キー２６が本発明の入力手段に相当する。また、印刷装置２の光センサ２４が本発明の印刷結果検出手段に相当する。
【００８０】
次に、第二実施形態について、図２５〜図３１を参照して説明する。第二実施形態は、未取得リスト・取得済リストをコンテンツ単位でなく携帯端末１単位で記憶し、管理するものである。従って、未取得リスト、取得済リストの内容が第一実施形態とは異なる。図２５は、第二実施形態の未取得リスト記憶エリア２２１の構成を示す模式図である。図２６は、第二実施形態の取得済リスト記憶エリア２２２の構成を示す模式図である。図２７は、第二実施形態の印刷装置２のメイン処理のフローチャートである。図２８は、メイン処理で実行される第二実施形態の印刷データ受信処理のフローチャートである。図２９は、メイン処理で実行される第二実施形態の取得済情報入力処理のフローチャートである。図３０は、メイン処理で実行される第二実施形態の取得済情報送信処理のフローチャートである。図３１は、メイン処理で実行される第二実施形態の未取得リストクリア処理のフローチャートである。
【００８１】
図２５に示すように、第二実施形態の未取得リストは、最終印刷完了日時、印刷指示元の携帯端末１の端末ＩＤ、その携帯端末１の使用者名の３つの項目からなっている。従って、コンテンツ名は項目として保持しない。さらに、印刷データを受信し、実行したときに、同じ端末ＩＤのデータが未取得リスト内に存在すれば、その最終印刷完了日時を更新して記憶させ、データの追加は行わない。
【００８２】
また、図２６に示すように、第二実施形態の取得済リストは、最終印刷完了日時、最終取得確認日時、印刷指示元の端末ＩＤ、使用者名からなっている。未取得リストの場合と同様に、リストの更新時に同じ端末ＩＤのデータが未取得リスト内に存在すれば、その最終印刷完了日時及び最終取得確認日時を更新して記憶させ、データの追加は行わない。
【００８３】
第二実施形態の印刷装置２では、電源が投入されるとＲＯＭ２１に記憶されているプログラムがＲＡＭ２２に読み出されて起動され、図２７に示すメイン処理がＣＰＵ２０により実行される。まず、ＲＡＭ２２の各記憶エリアがクリアされ、各種の設定値が読み込まれる等の初期化処理が実行される（Ｓ１００）。
【００８４】
初期化処理の実行後、電源ＯＦＦ操作が実行されれば（Ｓ１０１：ＹＥＳ）、メイン処理を終了し、電源ＯＦＦ操作がなされなければ（Ｓ１０１：ＮＯ）、Ｓ１０２〜Ｓ１１７の処理を繰り返し実行する。
【００８５】
まず、携帯端末１から印刷データを受信したか否かを判断し（Ｓ１０２）、受信していれば（Ｓ１０２：ＹＥＳ）、印刷データ受信処理を実行する（Ｓ１０４）。印刷データ受信処理では、図２８に示すように、まず、受信した印刷データに基づいて記録部２８で印刷を実行する（Ｓ１３５）。そして、未取得リストに印刷完了した印刷指示元の携帯端末１を追加する（Ｓ１３８）。前述したように、未取得リスト内に既に同じ端末についてのデータが存在する場合には、最終印刷完了日時を今回印刷したコンテンツの印刷完了日時に更新する。そして、未取得リストをＬＣＤ２５に表示する（Ｓ１４０）。第二実施形態では、未取得リストの表示は、携帯端末１単位で、端末ＩＤ及び／又は使用者名により表示される。
【００８６】
印刷データ受信処理の終了後、又は、印刷データを受信していない場合には（Ｓ１０２：ＮＯ）、取得済の端末情報が入力されたかどうかを判断する（Ｓ１０８）。印刷結果を取りに来た携帯端末１の使用者は、ＬＣＤ２５に表示されている未取得リストの中から、自分の端末を選択して操作キー２６を用いて入力することができる。このような取得済端末情報の入力があったかどうかをここでは判断している。入力があった場合には（Ｓ１０７：ＹＥＳ）、取得済情報入力処理を実行する（Ｓ１１０）。
【００８７】
取得済情報入力処理では、図２９に示すように、まず、取得済情報の入力対象とされた携帯端末１が接続中かどうかを判断し（Ｓ１５２）、接続中であれば（Ｓ１５２：ＹＥＳ）、その携帯端末１に取得済情報を送信する（Ｓ１５６）。前述のように、携帯端末１では、取得済情報を受信して未取得リストを更新する（図１１，Ｓ７）。
【００８８】
携帯端末１が接続中でなければ（Ｓ１５２：ＮＯ）、取得済リストに対象端末を追加する（Ｓ１５４）。前述したように、取得済リスト内に既に同じ端末についてのデータが存在する場合には、最終印刷完了日時を未取得リストに保存されていた最終印刷完了日時とし、最終取得確認日時を現在時刻にして更新する。
【００８９】
Ｓ１５３又はＳ１５５の処理終了後、未取得リスト記憶エリア２２１に記憶されている未取得リストから対象端末を削除する（Ｓ１５８）。そして、更新後の未取得リストをＬＣＤ２５に表示し（Ｓ１６０）、メイン処理に戻る。
【００９０】
このように、第二実施形態では、携帯端末１単位で印刷結果の取得・未取得を管理している。これは、携帯端末１の使用者は、印刷装置２に出向いて印刷結果を取得する際には、自らが印刷指示したコンテンツについては全て持っていくことが通常であるためである。このように端末単位の管理とすれば、複数のコンテンツについて使用者が取得済情報をいちいち入力する手間を省くことができる。
【００９１】
取得済情報入力処理の実行後、又は、取得済情報の入力がなかった場合には（Ｓ１０８：ＮＯ）、取得済情報の要求を携帯端末１から受信したかどうかを判断し（Ｓ１１１）、受信した場合には（Ｓ１１１：ＹＥＳ）、取得済情報送信処理を実行する（Ｓ１１３）。取得済情報送信処理では、図３０に示すように、取得済リスト（図２６）の中に、要求元の携帯端末１が存在するかどうかを判断する（Ｓ１７２）。要求元の端末がなければ（Ｓ１７２：ＮＯ）、その携帯端末１に、取得済情報がない旨を送信する（Ｓ１７４）。そして、要求元の端末がある場合には（Ｓ１７２：ＹＥＳ）、その端末についての取得済情報を要求元の携帯端末１に送信する（Ｓ１７５）。次いで、取得済リストからその端末を削除する（Ｓ１７７）。Ｓ１７４又はＳ１７７の処理終了後、メイン処理に戻る。
【００９２】
取得済情報送信処理の実行後、又は、取得済情報の要求を受信していなければ（Ｓ１１１：ＮＯ）、次に、排紙トレイが空かどうかを光センサ２４からの入力により判断する（Ｓ１１５）。そして、空の場合には（Ｓ１１５：ＹＥＳ）、未取得リストや取得済リストの内容にかかわらず、既に印刷結果が携帯端末１の使用者により取得されたと判断して、未取得リストのクリア処理を実行する（Ｓ１１７）。
【００９３】
未取得リストクリア処理では、図３１に示すように、まず、全ての端末が指示した印刷結果が取得された取り扱いにするために、未取得リストの全端末についてのデータを取得済リストに追加する（Ｓ２０３）。次いで、未取得リストを初期化する（Ｓ２０７）。尚、未取得リストの初期化の前に、未取得リスト内に登録されている端末ＩＤを一時的に記憶させておく。そして、未取得リストをＬＣＤ２５に表示する（Ｓ２１１）。ここでは、Ｓ２０５で未取得リストは初期化されているので、取得されていない携帯端末１はなしと表示される。
【００９４】
次いで、接続中の携帯端末１があれば、上記で更新された取得済情報を送信する（Ｓ２１３，Ｓ２１５）。そのために、Ｓ２０７で初期化される前の未取得リストに登録されていた全端末について処理したかどうかを判断し（Ｓ２１２）、まだ未処理の携帯端末１があれば（Ｓ２１２：ＮＯ）、その端末が接続中であれば（Ｓ２１３：ＹＥＳ）、前述の取得済情報送信処理を実行する（Ｓ２１５、図３０）。接続中でなければ（Ｓ２１３：ＮＯ）、取得済情報は送信せず、次回接続時に携帯端末１から要求されるのを待つことになる。そして、Ｓ２１２に戻って次の携帯端末１についての処理を行なう。そして、全端末について以上の接続確認処理が終了したら（Ｓ２１２：ＹＥＳ）、メイン処理に戻る。
【００９５】
尚、第二実施形態において、図２７のＳ１０４及び図２８で印刷データ受信処理を実行する印刷装置２のＣＰＵ２０が本発明の印刷指示受信手段に相当する。また、図２８のＳ１３５で印刷を実行する印刷装置２のＣＰＵ２０が本発明の印刷制御手段に相当する。また、図２７のＳ１０８で取得済情報の入力を判断し、Ｓ１１５で排紙トレイが空かを判断する印刷装置２のＣＰＵ２０が本発明の取得状況判断手段に相当する。また、図２９のＳ１５４及び図３１のＳ２０３で取得済リストにコンテンツを追加する印刷装置２のＣＰＵ２０が本発明の取得情報生成手段に相当する。また、図３０のＳ１７５で取得済情報を送信する印刷装置２のＣＰＵ２０が本発明の取得情報送信手段に相当する。
【００９６】
次に、第三実施形態について、図３２〜図３５を参照して説明する。第三実施形態は、第一実施形態と同様に、コンテンツ毎に取得状況を管理するが、複数の排紙トレイを備え、排紙トレイと携帯端末１とを対応づけて記憶しておき、排紙トレイから印刷結果が抜き取られたかどうかによっても取得済情報を更新できるようにしたものである。図３２は、登録済端末リスト記憶エリア２２３の構成を示す模式図である。図３３は、第三実施形態の印刷装置２のメイン処理のフローチャートである。図３４は、メイン処理で実行される第三実施形態の印刷データ受信処理のフローチャートである。図３５は、メイン処理で実行される第三実施形態の未取得リストクリア処理のフローチャートである。
【００９７】
第三及び第四の実施形態では、ＲＡＭ２２に登録済端末リスト記憶エリア２２３が設けられており（図８参照）、登録済端末リスト記憶エリア２２３には、印刷指示を送信する携帯端末１と排紙トレイとが対応づけられて記憶される。図３２に示すように、登録済端末リスト記憶エリア２２３には、携帯端末１の端末ＩＤ、その使用者名、排紙トレイの関係が対応づけられて記憶されている。排紙トレイと携帯端末１との関係は、１対１に限らず、複数の携帯端末１で１つの排紙トレイを共有することもできる。図３２の例では、端末ＩＤ「０８０」の携帯端末１（使用者tanaka）と、「０２３」の携帯端末１（使用者ueda）から指示された印刷結果は、共有トレイに排出される。
【００９８】
第三実施形態の印刷装置２では、電源が投入されるとＲＯＭ２１に記憶されているプログラムがＲＡＭ２２に読み出されて起動され、図３３に示すメイン処理がＣＰＵ２０により実行される。まず、ＲＡＭ２２の各記憶エリアがクリアされ、各種の設定値が読み込まれる等の初期化処理が実行される（Ｓ１００）。
【００９９】
初期化処理の実行後、電源ＯＦＦ操作が実行されれば（Ｓ１０１：ＹＥＳ）、メイン処理を終了し、電源ＯＦＦ操作がなされなければ（Ｓ１０１：ＮＯ）、Ｓ１０２〜Ｓ１１８の処理を繰り返し実行する。
【０１００】
まず、携帯端末１から印刷データを受信したか否かを判断し（Ｓ１０２）、受信していれば（Ｓ１０２：ＹＥＳ）、印刷データ受信処理を実行する（Ｓ１０５）。印刷データ受信処理では、図３４に示すように、まず、印刷指示元の携帯端末１が登録済端末リストに登録されているかどうかを判断する（Ｓ１３１）。登録されていれば（Ｓ１３１：ＹＥＳ）、登録済端末リストの対応づけに従って、排紙トレイを使用できる（Ｓ１３６）が、登録されていなければ（Ｓ１３１：ＮＯ）、排紙トレイとの対応づけをまず登録する（Ｓ１３２〜Ｓ１３４）。
【０１０１】
具体的には、登録済端末リストに印刷指示元が登録されていなければ（Ｓ１３１：ＮＯ）、登録済端末リスト（図３２）を参照して、携帯端末１に対応づけられていない排紙トレイがあるかどうかを判断する（Ｓ１３２）。排紙トレイに空きがあれば（Ｓ１３２：ＹＥＳ）、空いている排紙トレイに印刷指示元の携帯端末１を対応づけて登録済端末リストに追加し、記憶する（Ｓ１３３）。排紙トレイに空きがなければ（Ｓ１３２：ＮＯ）、共有の排紙トレイに印刷指示元の携帯端末１を対応づけて登録済端末リストに追加し、記憶する（Ｓ１３４）。
【０１０２】
印刷指示元の携帯端末１が登録済端末リストに登録されている場合（Ｓ１３１：ＹＥＳ）、又は、排紙トレイとの対応登録処理が終了した後（Ｓ１３３又はＳ１３４）、受信した印刷データに基づいて記録部２８で印刷を実行する（Ｓ１３６）。ここで、印刷結果は、印刷指示元の携帯端末１に対応する排出トレイに排紙される。そして、未取得リストに印刷完了したコンテンツを追加する（Ｓ１３７）。そして、未取得リストをＬＣＤ２５に表示する（Ｓ１３９）。
【０１０３】
印刷データ受信処理の終了後、又は、印刷データを受信していない場合には（Ｓ１０２：ＮＯ）、取得済情報が入力されたかどうかを判断する（Ｓ１０７）。印刷結果を取りに来た携帯端末１の使用者は、ＬＣＤ２５に表示されている未取得リストの中から、自分が取得したコンテンツを選択して取得したことを操作キー２６を用いて入力することができる。このような取得済情報の入力があったかどうかをここでは判断している。入力があった場合には（Ｓ１０７：ＹＥＳ）、取得済情報入力処理を実行する（Ｓ１０９）。取得済情報入力処理は、図２２で説明した第一実施形態と同様であるので説明を省略する。
【０１０４】
取得済情報入力処理の実行後、又は、取得済情報の入力がなかった場合には（Ｓ１０７：ＮＯ）、取得済情報の要求を携帯端末１から受信したかどうかを判断し（Ｓ１１１）、受信した場合には（Ｓ１１１：ＹＥＳ）、取得済情報送信処理を実行する（Ｓ１１２）。取得済情報送信処理は、図２３で説明した第一実施形態と同様であるので説明を省略する。
【０１０５】
取得済情報送信処理の実行後、又は、取得済情報の要求を受信していなければ（Ｓ１１１：ＮＯ）、次に、複数の排紙トレイについて、排紙トレイが空かどうかをチェックする処理を行う。そのために、まず、全ての排紙トレイについて処理を実行したかどうかを判断し（Ｓ１１４）、未処理の排紙トレイがあれば（Ｓ１１４：ＮＯ）、光センサ２４からの入力により、排紙トレイが空かどうかを判断する（Ｓ１１５）。そして、空の場合には（Ｓ１１５：ＹＥＳ）、未取得リストや取得済リストの内容にかかわらず、既に印刷結果が携帯端末１の使用者により取得されたと判断して、未取得リストのクリア処理を実行する（Ｓ１１８）。空でなければ（Ｓ１１５：ＮＯ）、Ｓ１１４に戻って次の排紙トレイについての処理を行う。そして、全排紙トレイについて処理が終了したら（Ｓ１１４：ＹＥＳ）、Ｓ１０１に戻る。
【０１０６】
未取得リストクリア処理では、図３５に示すように、まず、処理対象である排紙トレイに対応づけられた携帯端末１から印刷指示されたコンテンツを未取得コンテンツリストから抽出してtemp_listを生成する（Ｓ２００）。次に、その排紙トレイに排出されていた全ての未取得コンテンツが取得された取り扱いにするために、temp_listのコンテンツを取得済リストに追加する（Ｓ２０２）。次いで、未取得リストからtemp_listの全コンテンツを削除する（Ｓ２０６）。そして、temp_listを削除する（Ｓ２０９）。次いで、未取得リストをＬＣＤ２５に表示する（Ｓ２１０）。
【０１０７】
次いで、処理対象トレイに対応する携帯端末１が接続中であれば（Ｓ２１３：ＹＥＳ）、前述の取得済情報送信処理を実行する（Ｓ２１４）。取得済情報送信処理の実行後、又は、対象トレイに対応する携帯端末１が接続中でなければ（Ｓ２１３：ＮＯ）、メイン処理に戻る。
【０１０８】
尚、第三実施形態において、図３３のＳ１０５及び図３４で印刷データ受信処理を実行する印刷装置２のＣＰＵ２０が本発明の印刷指示受信手段に相当する。また、図３４のＳ１３６で印刷を実行する印刷装置２のＣＰＵ２０が本発明の印刷制御手段に相当する。また、図３３のＳ１０７で取得済情報の入力を判断し、Ｓ１１５で排紙トレイが空かを判断する印刷装置２のＣＰＵ２０が本発明の取得状況判断手段に相当する。また、登録済端末リスト記憶エリア２２３が本発明の対応記憶手段に相当する。
【０１０９】
次に、第四実施形態について、図３６〜図３８を参照して説明する。第四実施形態は、第二実施形態と同様に、携帯端末１単位で取得状況を管理するが、第三実施形態と同様に複数の排紙トレイを備え、排紙トレイと携帯端末１とを対応づけて記憶しておき、排紙トレイから印刷結果が抜き取られたかどうかによっても取得済情報を更新できるようにしたものである。従って、第三実施形態と同様に、ＲＡＭ２２に登録済端末リスト記憶エリア２２３が設けられ（図８）、登録済端末リスト記憶エリア２２３には、印刷指示を送信する携帯端末１と排紙トレイとが対応づけられて記憶される（図３２）。図３６は、第四実施形態の印刷装置２のメイン処理のフローチャートである。図３７は、メイン処理で実行される第四実施形態の印刷データ受信処理のフローチャートである。図３８は、メイン処理で実行される第四実施形態の未取得リストクリア処理のフローチャートである。
【０１１０】
第四実施形態の印刷装置２では、電源が投入されるとＲＯＭ２１に記憶されているプログラムがＲＡＭ２２に読み出されて起動され、図３６に示すメイン処理がＣＰＵ２０により実行される。まず、ＲＡＭ２２の各記憶エリアがクリアされ、各種の設定値が読み込まれる等の初期化処理が実行される（Ｓ１００）。
【０１１１】
初期化処理の実行後、電源ＯＦＦ操作が実行されれば（Ｓ１０１：ＹＥＳ）、メイン処理を終了し、電源ＯＦＦ操作がなされなければ（Ｓ１０１：ＮＯ）、Ｓ１０２〜Ｓ１１９の処理を繰り返し実行する。
【０１１２】
まず、携帯端末１から印刷データを受信したか否かを判断し（Ｓ１０２）、受信していれば（Ｓ１０２：ＹＥＳ）、印刷データ受信処理を実行する（Ｓ１０６）。図３７に示す印刷データ受信処理では、第三実施形態と同様に、まず、印刷指示元の携帯端末１が登録済端末リストに登録されているかどうかを判断する（Ｓ１３１）。登録済端末リストに印刷指示元が登録されていなければ（Ｓ１３１：ＮＯ）、登録済端末リストを参照して、携帯端末１に対応づけられていない排紙トレイがあるかどうかを判断する（Ｓ１３２）。排紙トレイに空きがあれば（Ｓ１３２：ＹＥＳ）、空いている排紙トレイに印刷指示元の携帯端末１を対応づけて登録済端末リストに追加し、記憶する（Ｓ１３３）。排紙トレイに空きがなければ（Ｓ１３２：ＮＯ）、共有の排紙トレイに印刷指示元の携帯端末１を対応づけて登録済端末リスト（図３２）に追加し、記憶する（Ｓ１３４）。
【０１１３】
印刷指示元の携帯端末１が登録済端末リストに登録されている場合（Ｓ１３１：ＹＥＳ）、又は、排紙トレイとの対応登録処理が終了した後（Ｓ１３３又はＳ１３４）、受信した印刷データに基づいて記録部２８で印刷を実行する（Ｓ１３６）。ここで、印刷結果は、印刷指示元の携帯端末１に対応する排出トレイに排紙される。
【０１１４】
そして、未取得リストに印刷完了した印刷指示元の携帯端末１を追加する（Ｓ１３８）。第二実施形態と同様に、未取得リスト内に既に同じ端末についてのデータが存在する場合には、最終印刷完了日時を今回印刷したコンテンツの印刷完了日時に更新する。そして、未取得リストをＬＣＤ２５に表示する（Ｓ１４０）。第二実施形態と同様に、未取得リストの表示は、携帯端末１単位で、端末ＩＤ及び／又は使用者名により表示される。印刷結果を取りに来た携帯端末１の使用者は、印刷指示した印刷結果を取得した旨を入力することができる。
【０１１５】
印刷データ受信処理の終了後、又は、印刷データを受信していない場合には（Ｓ１０２：ＮＯ）、取得済の端末情報が入力されたかどうかを判断する（Ｓ１０８）。印刷結果を取りに来た携帯端末１の使用者は、ＬＣＤ２５に表示されている未取得リストの中から、自分の端末を選択して操作キー２６を用いて入力することができる。このような取得済端末情報の入力があったかどうかをここでは判断している。入力があった場合には（Ｓ１０８：ＹＥＳ）、取得済情報入力処理を実行する（Ｓ１１０）。取得済情報入力処理は、図２９で説明した第二実施形態と同様であるので説明を省略する。
【０１１６】
取得済情報入力処理の実行後、又は、取得済情報の入力がなかった場合には（Ｓ１０８：ＮＯ）、取得済情報の要求を携帯端末１から受信したかどうかを判断し（Ｓ１１１）、受信した場合には（Ｓ１１１：ＹＥＳ）、取得済情報送信処理を実行する（Ｓ１１３）。取得済情報送信処理は、図３０で説明した第二実施形態と同様であるので説明を省略する。
【０１１７】
取得済情報送信処理の実行後、又は、取得済情報の要求を受信していなければ（Ｓ１１１：ＮＯ）、次に、複数の排紙トレイについて、排紙トレイが空かどうかをチェックする処理を行う。そのために、まず、全ての排紙トレイについて処理を実行したかどうかを判断し（Ｓ１１４）、未処理の排紙トレイがあれば（Ｓ１１４：ＮＯ）、光センサ２４からの入力により、排紙トレイが空かどうかを判断する（Ｓ１１５）。そして、空の場合には（Ｓ１１５：ＹＥＳ）、未取得リストや取得済リストの内容にかかわらず、既に印刷結果が携帯端末１の使用者により取得されたと判断して、未取得リストのクリア処理を実行する（Ｓ１１９）。空でなければ（Ｓ１１５：ＮＯ）、Ｓ１１４に戻って次の排紙トレイについての処理を行う。そして、全排紙トレイについて処理が終了したら（Ｓ１１４：ＹＥＳ）、Ｓ１０１に戻る。
【０１１８】
未取得リストクリア処理では、図３８に示すように、まず、処理対象である排紙トレイに対応づけられた携帯端末１のデータを未取得リストから抽出する（Ｓ２０４）。次に、その携帯端末１からの印刷結果をすべて取得済とするために、抽出した端末データを取得済リストに追加する（Ｓ２０７）。そして、抽出した端末データを未取得リストから削除する（Ｓ２０８）。次いで、未取得リストをＬＣＤ２５に表示する（Ｓ２１１）。
【０１１９】
次いで、処理対象トレイに対応する携帯端末１が接続中であれば（Ｓ２１３：ＹＥＳ）、その携帯端末１に取得済情報を送信する（Ｓ２１６）。そして、取得済リストから送信先の携帯端末１を削除する（Ｓ２１７）。接続中でなければ（Ｓ２１３：ＮＯ）、メイン処理に戻る。
【０１２０】
上記第三及び第四実施形態によれば、複数の排紙トレイを備え、排紙トレイと携帯端末１とを対応づけて記憶し、携帯端末１ごとに印刷結果が排出されるようにしたので、使用者により取得済情報が入力されなかった場合にも、比較的精度の高い取得済情報を作成し、携帯端末１に送信することができる。このため、使用者の手間を省くために、取得済情報の入力自体を行わず、排紙トレイにおける印刷結果の取得の有無だけで取得済情報を生成するように構成してもよい。
【０１２１】
尚、第四実施形態において、図３６のＳ１０６及び図３７で印刷データ受信処理を実行する印刷装置２のＣＰＵ２０が本発明の印刷指示受信手段に相当する。また、図３７のＳ１３６で印刷を実行する印刷装置２のＣＰＵ２０が本発明の印刷制御手段に相当する。また、図３６のＳ１０８で取得済情報の入力を判断し、Ｓ１１５で排紙トレイが空かを判断する印刷装置２のＣＰＵ２０が本発明の取得状況判断手段に相当する。また、登録済端末リスト記憶エリア２２３が本発明の対応記憶手段に相当する。
【０１２２】
尚、上述の実施形態では携帯端末１において未取得リスト（図５）の内容を表示部１５に表示させてユーザに報知したが、本発明はこれ以外の方法で取り忘れを報知しても良い。例えば、ファイル名等からなるリストを表示させるのではなくて、単に「とり忘れがあります」との旨の表示のみを行なうようにしても良い。また、取得状況の報知は表示に限られない。例えば、携帯端末１にスピーカを設け、音声で報知してもよいし、携帯端末１を振動させて報知してもよい。
【０１２３】
また、上述の実施形態では、携帯端末１が印刷装置２に接続したタイミングや印刷装置２から切断したタイミングで取得状況を報知するものとして説明したが、本発明はこれに限られない。例えば、一日の内の決まった時間に報知するようにしても良い。
【０１２４】
また、上述の実施形態では、携帯端末１における取り忘れの報知回数の上限を設けたが、設けなくとも良い。
【０１２５】
また、上述の実施形態では、携帯端末１においてコンテンツ印刷操作が行なわれた後（図１３，Ｓ３９：ＹＥＳ）、印刷装置２に接続中か否かを判断し（図１７，Ｓ４０１）、接続されているときは印刷データを印刷装置にそのまま送信し（Ｓ４０３）、接続されていないときは印刷待リストに該当コンテンツを追加する（Ｓ４０２）ものとして説明したが、本発明はこれに限られない。例えば、接続されていない場合は、印刷待リストに追加するのではなく印刷不可能とするだけにしても良い。もしくは、印刷操作が行われた時は、接続の判断は行なわず、常に印刷待リストに追加するようにしてもよい。
【０１２６】
また、上述の実施形態では印刷データを携帯端末１が作成するものとして説明したが、本発明はこれに限られない。たとえば、印刷の指示を受けたときに、印刷装置２が印刷データが印刷データを記憶した外部装置から印刷データを取得しその印刷データに基づき印刷しても良い。あるいは、印刷指示を受けたときに、印刷装置２が印刷データを生成するようにしても良い。
【図面の簡単な説明】
【０１２７】
【図１】取得状況管理システム１００の概略を示すシステム構成図である。
【図２】携帯端末１の電気的構成を示すブロック図である。
【図３】ＲＡＭ１２の構成を示す模式図である。
【図４】ＲＡＭ１２の印刷待リスト記憶エリアの構成を示す模式図である。
【図５】ＲＡＭ１２の未取得リスト記憶エリアの構成を示す模式図である。
【図６】ＥＥＰＲＯＭ１３の構成を示す模式図である。
【図７】印刷装置２の電気的構成を示すブロック図である。
【図８】印刷装置２のＲＡＭ２２の構成を示す模式図である。
【図９】未取得リスト記憶エリア２２１の構成を示す模式図である。
【図１０】取得済リスト記憶エリア２２２の構成を示す模式図である。
【図１１】携帯端末１のメイン処理のフローチャートである。
【図１２】携帯端末１のメイン処理で実行される目次表示処理のフローチャートである。
【図１３】携帯端末１のメイン処理で実行されるキー入力処理のフローチャートである。
【図１４】キー入力処理で実行されるコンテンツ選択処理のフローチャートである。
【図１５】キー入力処理で実行されるコンテンツ決定処理のフローチャートである。
【図１６】キー入力処理で実行される頁めくり処理のフローチャートである。
【図１７】キー入力処理で実行されるコンテンツ印刷処理のフローチャートである。
【図１８】携帯端末１のメイン処理で実行される接続更新時処理のフローチャートである。
【図１９】接続更新時処理で実行される未取得情報表示処理のフローチャートである。
【図２０】第一実施形態の印刷装置２のメイン処理のフローチャートである。
【図２１】メイン処理で実行される第一実施形態の印刷データ受信処理のフローチャートである。
【図２２】メイン処理で実行される第一実施形態の取得済情報入力処理のフローチャートである。
【図２３】メイン処理で実行される第一実施形態の取得済情報送信処理のフローチャートである。
【図２４】メイン処理で実行される第一実施形態の未取得リストクリア処理のフローチャートである。
【図２５】第二実施形態の未取得リスト記憶エリア２２１の構成を示す模式図である。
【図２６】第二実施形態の取得済リスト記憶エリア２２２の構成を示す模式図である。
【図２７】第二実施形態の印刷装置２のメイン処理のフローチャートである。
【図２８】メイン処理で実行される第二実施形態の印刷データ受信処理のフローチャートである。
【図２９】メイン処理で実行される第二実施形態の取得済情報入力処理のフローチャートである。
【図３０】メイン処理で実行される第二実施形態の取得済情報送信処理のフローチャートである。
【図３１】メイン処理で実行される第二実施形態の未取得リストクリア処理のフローチャートである。
【図３２】登録済端末リスト記憶エリア２２３の構成を示す模式図である。
【図３３】第三実施形態の印刷装置２のメイン処理のフローチャートである。
【図３４】メイン処理で実行される第三実施形態の印刷データ受信処理のフローチャートである。
【図３５】メイン処理で実行される第三実施形態の未取得リストクリア処理のフローチャートである。
【図３６】第四実施形態の印刷装置２のメイン処理のフローチャートである。
【図３７】メイン処理で実行される第四実施形態の印刷データ受信処理のフローチャートである。
【図３８】メイン処理で実行される第四実施形態の未取得リストクリア処理のフローチャートである。
【符号の説明】
【０１２８】
１      携帯端末
２      印刷装置
３      ＬＡＮ
１０      ＣＰＵ
１２      ＲＡＭ
１２１      印刷待リスト記憶エリア
１２２      未取得リスト記憶エリア
２０      ＣＰＵ
２２      ＲＡＭ
２４      光センサ
２６      操作キー
２８      記録部
１００      取得状況管理システム
２２１      未取得リスト記憶エリア
２２２      取得済リスト記憶エリア
２２３      登録済端末リスト記憶エリア
【図１】
2008243106.tif 000003
【図２】
2008243106.tif 000004
【図３】
2008243106.tif 000005
【図４】
2008243106.tif 000006
【図５】
2008243106.tif 000007
【図６】
2008243106.tif 000008
【図７】
2008243106.tif 000009
【図８】
2008243106.tif 000010
【図９】
2008243106.tif 000011
【図１０】
2008243106.tif 000012
【図１１】
2008243106.tif 000013
【図１２】
2008243106.tif 000014
【図１３】
2008243106.tif 000015
【図１４】
2008243106.tif 000016
【図１５】
2008243106.tif 000017
【図１６】
2008243106.tif 000018
【図１７】
2008243106.tif 000019
【図１８】
2008243106.tif 000020
【図１９】
2008243106.tif 000021
【図２０】
2008243106.tif 000022
【図２１】
2008243106.tif 000023
【図２２】
2008243106.tif 000024
【図２３】
2008243106.tif 000025
【図２４】
2008243106.tif 000026
【図２５】
2008243106.tif 000027
【図２６】
2008243106.tif 000028
【図２７】
2008243106.tif 000029
【図２８】
2008243106.tif 000030
【図２９】
2008243106.tif 000031
【図３０】
2008243106.tif 000032
【図３１】
2008243106.tif 000033
【図３２】
2008243106.tif 000034
【図３３】
2008243106.tif 000035
【図３４】
2008243106.tif 000036
【図３５】
2008243106.tif 000037
【図３６】
2008243106.tif 000038
【図３７】
2008243106.tif 000039
【図３８】
2008243106.tif 000040